(57)【要約】【課題】  既存の高電圧回路に対して接離可能な計器用変圧器は、回転ハンドルとストッパで固定電極に対する可動接触子の接離位置を決めた後、その接触位置もしくは切り離し位置の固定ができないので、操作完了後の接触状態もしくは切り離し状態を確実に維持できる保障が得られないという課題がある。【解決手段】  接触位置もしくは切り離し位置を決めるために用いた一対のストッパに対して対向可能に進退するロックピンを設けることから、操作完了後の回転ハンドルの固定化を実現し、接触状態もしくは切り離し状態を確実に維持できるようにした計器用変圧器を得た。【選択図】        図１
2011087400.tif 000002
【特許請求の範囲】
【請求項１】
低圧コイルに電磁気的に結合した高圧コイルを高電圧回路から切離する固定接触子と可動接触子、この可動接触子を進退自在にレバ−操作する操作手段、この操作手段のレバ−の回動範囲を制限する固定ストッパを備えた計器用変圧器において、
前記レバ−を前記固定ストッパと挟んで固定する進退可能なロックピンを備えたことを特徴とする計器用変圧器。
【請求項２】
請求項１に記載の計器用変圧器であって、
前記操作手段が前記レバ−を回転力で回動させるハンドルを脱着可能にする接続部と、
この接続部への前記ハンドルの脱着によって前記ロックピンを進退させる手段を備えたことを特徴とする計器用変圧器。
【請求項３】
請求項２に記載の計器用変圧器であって、
前記ロックピンと前記接続部の間にワイヤが張られ、このワイヤが前記接続部に固定され、前記接続部への前記ハンドルの装着に伴って前記ハンドルまたは前記接続部に空けられた接続穴の中に前記ワイヤを引き込む手段を備えたことを特徴とする計器用変圧器。
【請求項４】
請求項３に記載の計器用変圧器であって、
前記ワイヤが前記接続部の一端を跨いでから固定する手段を備えたことを特徴とする計器用変圧器。
【請求項５】
請求項４に記載の計器用変圧器であって、
前記ロックピンと前記接続部の間に張られたワイヤの経路を規定するガイドが設けられたことを特徴とする計器用変圧器。
【発明の詳細な説明】
【技術分野】
【０００１】
本発明は、高電圧回路に対して接離可能な計器用変圧器に関する。
【背景技術】
【０００２】
計器用変圧器は、一次側の高圧コイルを高電圧回路に接続し、電気変成を行って二次側の低圧コイルを介して前記高電圧回路に加わる電気量を測定するものである。ガス絶縁開閉装置に直流ないし交流を通電する課電試験を行う場合、過電圧ないし過電流による故障を未然に防ぐため、計器用変圧器を高電圧回路から電気的に切り離す必要がある。高電圧回路との切り離しや接続を行う可動接触子の位置決めを、回転ハンドルの回動で操作する操作手段を備えた計器用変圧器がある（例えば、特許文献１参照）。
【先行技術文献】
【特許文献】
【０００３】
【特許文献１】特開２００４−２７３８５５号公報（段落００３５、図２、図４）。
【発明の概要】
【発明が解決しようとする課題】
【０００４】
従来の高電圧回路からの接離を実施する計器用変圧器では、固定電極に対する可動接触子の切り離し位置や接続位置を決めるために、回転ハンドルと連動して動く回転子片の動きを所定の位置に固定されたストッパ片と接触させることで実現していたため、前記ストッパ片との接触後の回転ハンドルないし回転子片の戻り等を抑止できず、操作完了後の状態を確実に維持する保障が得られないという課題があった。
【０００５】
この発明は上記のような課題を解決し、高電圧回路から計器用変圧器のコイルへの切り離しまたは接続を完了した後、その切離しの維持または接続の維持を確実にする計器用変圧器を得ることを目的とする。
【課題を解決するための手段】
【０００６】
本発明計器用変圧器は、低圧コイルに電磁気的に結合した高圧コイルを高電圧回路から切離する固定接触子と可動接触子、この可動接触子を進退自在にレバ−操作する操作手段、この操作手段のレバ−の回動範囲を制限する固定ストッパを備えた計器用変圧器において、
前記レバ−を前記固定ストッパと挟んで固定する進退可能なロックピンを備えた点を特徴とするものである。
【発明の効果】
【０００７】
上記のように構成された計器用変圧器は、高電圧回路からの切離しまたは接続を完了した後の接離状態の維持が確実に行えるようになる。
【図面の簡単な説明】
【０００８】
【図１】本発明の実施の形態１の計器用変圧器の正面断面図である。
【図２】本発明の実施の形態２の計器用変圧器の正面断面図である。
【図３】本発明の実施の形態２の操作手段の上面断面図である。
【図４】本発明の実施の形態２の操作手段にハンドルを装着した時の上面断面図である。
【図５】本発明の実施の形態２のレバ−周辺の変化を示す模式図である。
【図６】本発明の実施の形態２の操作手段を操作した後の上面断面図である。
【発明を実施するための形態】
【０００９】
実施の形態１．
以下、図面に基づいて本発明の実施の形態１について詳細に説明する。図１は、この発明の実施の形態１の計器用変圧器の正面断面図である。なお、図中の同一符号は、同一または相当部分を示している。
【００１０】
図１において、密閉容器であるタンク１は接地金属で形成され内部には電圧変成要素２が収納されている。電圧変成要素２は、タンク１の上板３上に固定された額縁状の鉄心４と、この鉄心４の継鉄部分４ａに巻回された低圧コイル５と、その外側に低圧コイル５と同軸状に巻回された高圧コイル６とから構成され、タンク１内にはＳＦ６ガスなどの絶縁ガスが封入されている。高圧コイル６には、高電圧側と接地側との電界を緩和する高圧シ−ルド７が設けられ、その下方に高電圧側端部となる固定接触子８が突出している。
【００１１】
タンク１は、下端に開口部９を有し、気密に閉塞する絶縁スペ−サ１０が取付けられている。タンク１外部の外端部１１ａとタンク内に導入され内端部１１ｂとを有する貫通導体１１が、前記絶縁スペ−サ１０を介して気密に貫通している。貫通導体１１は図示しない高電圧回路に接続されている。タンク１内に突出した内端部１１ｂの先端には、各々フレキシブルな高圧導体１２が接続されている。
【００１２】
これらの高圧導体１２の端部には上下動可能な一対の可動接触子１３が接続されており、それぞれ電圧変成要素２の高電圧側端部となる固定接触子８にそれぞれ対向して配置されている。可動接触子１３が上下に移動することで固定接触子８と接離する。以下、可動接触子１３の可動手段について詳述する。
【００１３】
可動接触子１３を移動させるため、操作ロッド１４がタンク１の上面を貫通して設けられ、その一端をタンク１の外側に設けられた操作手段１５に接続されている。操作手段１５は操作ロッド１４を上下動させる。操作ロッド１４の他端には、絶縁ロッド１６がＴの字状に接続されている。絶縁ロッド１６の各先端には、上述した可動接触子１３がそれぞれ固定されている。操作ロッド１４の上下動に伴って各可動接触子１３は上下動し、可動接触子１３と固定接触子８との接離が実施される。
【００１４】
操作手段１５内で操作ロッド１４の一端は梃子状のレバ−１７の一端と接続されている。レバ−１７の他端には手動操作用のグリップ１７ｂが設けられ、シャ−シ１５ａに固定された回転軸１７ａを支点に回動可能である。手動操作されるレバ−１７の回動範囲は、シャ−シ１５ａの予め定められた所定の位置に回転軸１７ａと平行に固定された固定ストッパ１８ａないし１８ｂと接触することで制限されている。なお、前記固定ストッパ１８ａならびに１８ｂが固定されるそれぞれの所定の位置は、レバ−１７の回動に伴うロッド１４の上下動によって移動する可動接触子１３が、固定接触子８と接続をする位置ならびに切り離される位置と対応している。
【００１５】
固定ストッパ１８ａと１８ｂの設けられるシャ−シ１５ａには、ロックピン１９を挿入しこれを固定保持するための固定穴１９ａが開けられている。なお、固定穴１９ａの開けられる位置は固定ストッパ１８ａと１８ｂの間に位置し、レバ−１７と前記固定ストッパ１８ａまたは１８ｂの何れか一方とが接触したときに、ロックピン１９を挿入した際、前記レバ−１７を前記ロックピン１９と固定ストッパで挟み固定できる位置に設けられている。
【００１６】
次に図示しないガス絶縁開閉装置の高電圧回路から実施の形態１の計器用変圧器を接離する時の操作について説明する。操作手段１５内のロックピン１９を掴み、これを固定穴１９ａから引き抜くことで、固定されていたレバ−１７を回動可能にする。レバ−１７の他端側のグリップ１７ｂを掴んで回動させ、固定ストッパ１８ａまたは１８ｂのいずれかに接触させることでレバ−１７を所定の位置まで上下動させる。これにより、可動接触子１３と固定接触子８は接続あるいは切り離しの状態になる。ただし、この時点ではレバ−１７は回動可能であり、可動接触子１３と固定接触子８の接続あるいは切り離しの状態は、レバ−１７ないし操作ロッド１４に何らかの力が加わる場合に戻るので移動する恐れがある。
【００１７】
レバ−１７が固定ストッパ１８ａまたは１８ｂのいずれかに接触した状態でロックピン１９を掴み、これを固定穴１９ａに挿入することから、レバ−１７を固定ストッパとロックピン１９により挟んで固定する。これにより、何らかの力が本発明の実施の形態１の計器用変圧器のレバ−１７ないし操作ロッド１４に加わる場合においても、可動接触子１３が上下動することが無くなり、可動接触子１３と固定接触子８との接続あるいは切り離し状態を確実に維持することが可能となる。また、シャ−シ１５ａに設けられた固定穴１９ａの位置が特定されているため、レバ−１７が所定の接続あるいは切り離しの位置以外にあるときには、レバ−１７が固定穴１９ａを覆う位置となってロックピン１９の挿入を遮り、誤った状態での操作の防止に役立つという格別の効果がある。
【００１８】
実施の形態２．
上記実施形態１の計器用変圧器では、レバ−の回動可能状態または回動不可能状態（固定）の実現のため、ロックピンを掴んで、これをシャ−シに空けた固定穴に挿抜することで実施していた。本発明の実施の形態２の計器用変圧器では、シャ−シに空けた固定穴に対するロックピンの挿抜に対して、直接ロックピン１９を掴むこと無く、移動させることで実現するものである。従って、ロックピンの操作を行う操作手段の構成以外は実施の形態１と同じである。
【００１９】
以下、図面に基づいて本発明の実施の形態２について詳細に説明する。図２はこの発明の実施の形態２の計器用変圧器の正面断面図、図３は実施の形態２の操作手段の上面断面図、図４は実施の形態２の操作手段にハンドルを装着した時の上面断面図、図５は実施の形態２のハンドル操作に伴うレバ−周辺の変化を示す模式図、図６は実施の形態２の操作手段を操作した後にハンドルを取り外した時の上面断面図である。なお、図２ないし図６中において、図１と同一部分ないし相当部分には、同一符号を付与している。
【００２０】
図２に示すように、実施の形態２に用いるレバ−１７は図１に示したレバ−のグリップ１７ｂを無くし、代わりに回転軸１７ａの軸心上にハンドルを接続するための接続部１７ｃを設け、その一端にハンドル挿入用の接続穴１７ｄを空けている。なお、図２におけるレバ−１７は、固定ストッパ１８ａとロックピン１９とに挟まって固定されている。
【００２１】
図３は図２に示す一点差線Ａ−Ａで操作手段１５を切断したときの操作手段の上面断面図である。一端を操作ロッド１４に接続されているレバ−１７はシャ−シ１５ａに固定された回転軸１７ａに回動自在に取付けられている。接続穴１７ｄは接続部１７ｃの回転中心の周囲に空けられている。
【００２２】
固定ストッパ１８ａ（図３では見えない位置）ならびに１８ｂが、回転軸１７ａの軸心と平行の軸心を形成するようにシャ−シ１５ａの所定の位置に固定されている。回転軸１７ａの軸心と平行なロックピン１９の軸心を形成するように、ロックピン１９を挿入するための複数の固定穴１９ａがシャ−シ１５ａの所定の位置に空けられている。複数の固定穴１９ａには、バネ２０を備えたロックピン１９が挿入されている。バネ２０は固定穴１９ａ１と固定穴１９ａ２を有するシャ−シ間に配置され、ロックピン１９の外周中央部に設けられた凸部１９ｂを押し付けることで、ロックピン１９を所定の位置に保持している。
【００２３】
ロックピン１９の頭部には、接続部１７ｃの一端に設けられた接続穴１７ｄを跨いで固定されたワイヤ２１が接続されている。さらに説明する。ロックピン１９の頭部に接続されたワイヤ２１は、その経路を規定するガイドとして作用するプ−リ−２２ａ、２２ｂ、２２ｃを介して接続部１７ｃに近づき、その接続穴１７ｄの中央部を跨いだ後に、接続部１７ｃに固定される。なお、プ−リ−２２ａ、２２ｂ、２２ｃの図示しない軸心は、図３の紙面に垂直方向にあって、シャ−シ１５ａにそれぞれ固定されている。
【００２４】
図４は、図３に示す接続部１７ｃの接続穴１７ｄの中にＬ字状のハンドル２３を挿入した時の操作手段の上面断面図である。ハンドル２３の一端には、ワイヤ２１の経路を規定し、摺動に伴う機械的負担を軽減するためのガイドとしてプ−リ−２３ａが設けられている。このプ−リ−２３ａの溝を図３の接続穴１７ｄの中央部を跨いだワイヤ２１上に載せ、そのまま接続穴１７ｄの奥に向けハンドル２３を挿入した状態が図４である。
【００２５】
図４におけるワイヤ２１は、ハンドル２３の挿入に伴って、接続穴１７ｄの奥に向かって押し込まれている。その際、ワイヤ２１はプ−リ−２２ａ、２２ｂ、２２ｃを介してロックピン１９を複数の固定穴１９ａから引き出す方向に引っ張り、ハンドルの挿入深さの２倍より長い距離を移動させている。ロックピン１９の先端は固定穴１９ａ３から抜け出すとともに、レバ−１７との接触を無くしている。レバ−１７は、固定ストッパ１８ｂとロックピン１９とによる把持から開放され、固定ストッパ１８ｂ、１８ａ間で回動自在である。ロックピン１９に備わったバネ２０はロックピンの凸部１９ｂと固定穴１９ａ２の設けられるシャ−シ１５ａとの間で押し縮められ蓄勢されている。なお、ハンドル２３をさらに接続穴１７ｄの奥底に押し込むと、ロックピン１９は、さらに押し込んだ深さの２倍の距離を移動し、ばね２０の蓄勢も強くなる。
【００２６】
図５（ａ）は図３の接続穴１７ｄへハンドル２３を挿入し始め、図４の接続穴１７ｄの奥にハンドル２３を挿入するまでの間のレバ−１７の周辺の状態を示す模式図である。レバ−１７は回動する前で固定ストッパ１８ａに接触している。そのためロックピン１９はレバ−１７上に位置していない。このときの可動接触子１３と固定接触子８は、図２に示すように切り離しを確保した位置関係にある。
【００２７】
図５（ｂ）は図４の接続穴１７ｄの奥にハンドル２３を挿入した状態で、ハンドル２３を回動し、レバ−１７を固定ストッパ１８ｂに向かって回動させたときの模式図である。レバ−１７の回動に伴いロックピン１９は、レバ−１７の上に移動し、固定穴１９ａ３はレバ−１７で覆われている。また、操作ロッド１４もこれに伴って移動している。従って、このときの可動接触子１３は固定接触子８に近づいている。
【００２８】
図５（ｃ）はさらにハンドル２３を回動させることでレバ−１７が固定ストッパ１８ｂに接触したときの模式図である。このとき操作ロッド１４はレバ−１７の回動に伴い移動し、固定接触子８は可動接触子１３と接触する。また、ロックピン１９はレバ−１７上に位置しなくなり、固定穴１９ａ３に挿入可能状態になっている。このときの可動接触子１３と固定接触子８は、接続を確保した位置関係にある。
【００２９】
図６は図５（ｃ）の状態で、接続穴１７ｄからハンドル２３を引き抜いたときの操作手段の上面断面図である。ハンドル２３を引き抜いたことでワイヤ２１に加わる力が弱まり、ばね２０に蓄勢された力によってロックピン１９は固定穴１９ａ３に挿入され、また、ワイヤ２１は接続穴１７ｄを再び跨ぐようになる。このとき、レバ−１７は固定ストッパ１８ｂとロックピン１９とに挟まって固定される。これにより、ロックピンを掴む事無く高電圧回路からの切離しまたは接続を完了した後の接離状態の維持が確実に行えるようになる。また、実施の形態１の発明で用いられたレバ−１７にはグリップ部１７が存在したが、本発明の実施の形態２の発明のレバ−１７はグリップ部を有しないので相対的に小型となり、その結果、小型の計器用変圧器を得ることができるという効果を有している。
【００３０】
なお、上記実施の形態２ではワイヤ２１のガイドとしてプ−リ−２２やプ−リ−２３ａを用いたが、必ずしもプ−リ−である必要性はなく、ワイヤをガイドする溝ないし貫通穴を持った支持体等であればいかなるものであっても良い。さらにハンドルに用いられたガイドであるプ−リ−については、必ずしも必要でない。なぜなら、ハンドルを接続穴に挿入するだけでも、ワイヤを接続穴に挿入できるからである。
【００３１】
また、レバ−を回動させるハンドルは、必ずしもＬ字の形状である必要性はなく、接続部との嵌め合わせによる接続によって、レバ−に回転力を与えることができるものでありさえすれば、いかなるものであっても良い。
【００３２】
また、レバ−の接続部にハンドル挿入用の接続穴を必ずしも設ける必要はない。レバ−の接続部にハンドル挿入用の接続穴を設けない場合は、ハンドルにレバ−の接続部を挿入できる接続穴を設ければよい。要するに、レバ−の接続部にハンドルに設けた接続穴を挿入することで、レバ−の接続部に取付けられたワイヤがハンドルの接続穴の中に押し込められるため、実施の形態２と同様に前記ワイヤを介してロックピンを動かすことができるからである。なお、ハンドルにレバ−の接続部を挿入できる接続穴を設けるときは、必ずしもワイヤをレバ−の接続部の一端を跨いでから固定する必要性はなくなる。
【００３３】
以上説明したとおり、本発明の実施の形態１および２の発明は、高電圧回路からの切離しまたは接続を完了した後の接離状態の維持が確実に行えるという効果を有する。
【符号の説明】
【００３４】
８    固定接触子  、      １３    可動接触子、
１５    操作手段、          １７    レバ−、      
１７ｃ  接続部、            １７ｄ  接続穴
１８    固定ストッパ        １９    ロックピン、
２１    ワイヤ、            ２２    ガイド
２３    ハンドル、
【図１】
2011087400.tif 000003
【図２】
2011087400.tif 000004
【図３】
2011087400.tif 000005
【図４】
2011087400.tif 000006
【図５】
2011087400.tif 000007
【図６】
2011087400.tif 000008